(57)【要約】【課題】  安価で再生時のすきま損失を小さくすること。【解決手段】  磁性体からなる一対のコア半体どうしを磁気ギャップを挟んで非磁性接合材で接合することによりヘッドコア２が形成され、該ヘッドコア２をヘッドシリンダ１に止着したときに磁気ギャップがヘッドシリンダ１の外周面から所定の突出幅ｋだけ突出されるようにその磁気テープ摺動面Ｃが所定の半径ｒ２で円弧状に形成されており、ヘッドシリンダ１の外周面からヘッドコア２の磁気テープ摺動面Ｃに沿って磁気テープ３を走行させることにより、その磁気テープ３に情報を記録したり再生するようにした磁気ヘッドにおいて、磁気テープ摺動面Ｃの半径ｒ２を小さく設定することにより、磁気ギャップＧの突出幅ｋを変更せずに磁気テープ摺動面Ｃの前後両角部Ｃａ，Ｃｂをヘッドシリンダ１の外周面から所定の没入幅βだけ没入させるようにした。【選択図】        図２
0003103098.tif 000002
【実用新案登録請求の範囲】
【請求項１】
磁性体からなる一対のコア半体どうしを磁気ギャップを挟んで非磁性
接合材で接合することにより横幅が２．０ｍｍの２ヘッドタイプの記録再生用磁気ヘッド
のヘッドコアが形成され、該ヘッドコアをヘッドシリンダに止着したときに磁気ギャップ
がヘッドシリンダの外周面から３０〜５０μｍの突出幅だけ突出され、そのヘッドコアの
磁気テープ摺動面の前後両角部がヘッドシリンダの外周面と一致またはわずかに没入する
ようにその磁気テープ摺動面が所定の半径で円弧状に形成され、前記磁気テープ摺動面の
前側角部を斜めに切断して傾斜面が形成されており、ヘッドシリンダの外周面からヘッド
コアの傾斜面及び磁気テープ摺動面に沿って磁気テープを走行させることにより、その磁
気テープに情報を記録したり再生するようにした磁気ヘッドにおいて、前記傾斜面を形成
する工程を省略し、前記磁気テープ摺動面の半径を上記の所定の半径よりも小さく設定す
ることにより、前記磁気ギャップの突出幅を変更せずに磁気テープ摺動面の前後両角部を
ヘッドシリンダの外周面から１０〜５０（好ましくは２５〜３５）μｍの没入幅だけ没入
させるようにしたことを特徴とする磁気ヘッド。
【請求項２】
磁性体からなる一対のコア半体どうしを磁気ギャップを挟んで非磁性
接合材で接合することによりヘッドコアが形成され、該ヘッドコアをヘッドシリンダに止
着したときに磁気ギャップがヘッドシリンダの外周面から所定の突出幅だけ突出されるよ
うにそのヘッドコアの磁気テープ摺動面が所定の半径で円弧状に形成されており、ヘッド
シリンダの外周面からヘッドコアの磁気テープ摺動面に沿って磁気テープを走行させるこ
とにより、その磁気テープに情報を記録したり再生するようにした磁気ヘッドにおいて、
前記磁気テープ摺動面の半径を小さく設定することにより、前記磁気ギャップの突出幅を
変更せずに磁気テープ摺動面の前後両角部をヘッドシリンダの外周面から所定の没入幅だ
け没入させるようにしたことを特徴とする磁気ヘッド。
【請求項３】
前記没入幅が、１０〜５０（好ましくは２５〜３５）μｍであること
を特徴とする請求項２に記載の磁気ヘッド。
【考案の詳細な説明】
【技術分野】
【０００１】
本考案は、例えば２ヘッドタイプ（２ＨＤ）の記録再生用磁気ヘッドに関し、特に、ヘ
ッドコアを再生時のすきま損失を小さくして安価に製作することができるようにしたもの
である。
【背景技術】
【０００２】
従来、２ヘッドタイプ（２ＨＤ）の記録再生用磁気ヘッドの技術として特許文献１など
に記載したものがあり、その一例を図３に基づいて説明すると、これは、所定の半径Ｒ（
例えば３１ｍｍ）を有するヘッドシリンダ１にヘッドコア２を止着したものであって、ヘ
ッドシリンダ１の外周面に沿って矢印ａ方向に走行する磁気テープ３に対して情報を記録
したり再生する。
【０００３】
前記ヘッドコア２は、図４に示すように、外側面２ａをトラック走査方向Ｘとは直交す
る方向に形成し内側面２ｂを所定のアジマス角度θで傾斜させた磁性体からなる一対のコ
ア半体２Ａ，２Ｂを有し、その一方のコア半体２Ａに巻線窓４と接合窓５と形成され、そ
の両コア半体２Ａ，２Ｂの内側面２ｂどうしを磁気ギャップＧを挟んで当接させ、両コア
半体２Ａ，２Ｂの前面両側縁における両内側面２ｂに、磁気ギャップＧを間に挟んで一対
の切り欠き溝６を形成することにより、該切り欠き溝６間に所定のトラックｔ幅のトラッ
ク形成面が形成され、例えばガラス、セラミック、合成樹脂などの非磁性体からなる充填
材７を各切り欠き溝６内に充填すると共に、巻線窓４及び接合窓５に同じく非磁性体から
なる接合材８を注入することにより、両コア半体２Ａ，２Ｂどうしが磁気ギャップＧを挟
んで接合されている。具体的寸法の一例を示すと、ヘッドコア２の厚さＤが０．１〜０．
１３５ｍｍ、その横幅Ｅが２．０ｍｍ、その高さＨが１．６〜１．９ｍｍである。
【０００４】
図５（ａ）に示すように、ヘッドコア２をヘッドシリンダ１に止着したときに、磁気ギ
ャップＧがヘッドシリンダ１の外周面から所定の突出幅ｋだけ突出され、該ヘッドコア２
の磁気テープ摺動面Ｃの前後両角部Ｃａ，Ｃｂがヘッドシリンダ１の外周面と一致または
わずかに没入するようにその磁気テープ摺動面Ｃが所定の半径ｒ１で円弧状に形成されて
いる。具体的寸法の一例を示すと、磁気ギャップＧの突出幅ｋが３０〜５０μｍ、磁気テ
ープ摺動面Ｃの半径ｒ１が８ｍｍである。
【０００５】
上記構成によれば、図５（ａ）に示すように、磁気テープ摺動面Ｃの前後両角部Ｃａ，
Ｃｂをヘッドシリンダ１の外周面に一致またはわずかに没入させることにより、該磁気テ
ープ摺動面Ｃのテープ接触幅αを最大になるように設定しているので、再生時のすきま損
失を極力小さくして、モニターに鮮明な再生画面を映し出すことができる。しかし、上記
状態を維持するためには、ヘッドコア２をヘッドシリンダ１の所定位置に精密に止着する
必要があり、例えば、図５（ｂ）に示すように、ヘッドコア２を止着誤差で傾けてヘッド
シリンダ１に止着することにより、磁気テープ摺動面Ｃの前側角部Ｐａがヘッドシリンダ
１の外周面から突出されると、その突出幅ｍが例えば５μｍ程度の極めてわずかであって
も、その突出する前側角部Ｃａにより磁気テープ３が削られる。
【０００６】
そこで、図４に仮想線で示すように、磁気テープ摺動面Ｃの前側角部Ｃａを斜めに切断
して傾斜面Ｐを形成することが考えられている。
【特許文献１】特開平８−２１２５１１号公報
【考案の開示】
【考案が解決しようとする課題】
【０００７】
上記従来の構成では、図６（ａ）に示すように、傾斜面Ｐの前側角部Ｐａがヘッドシリ
ンダ１の外周面から所定の没入幅ｎ（例えば５０μｍ）だけ没入させているので、例えば
、図６（ｂ）に示すように、ヘッドコア２を止着誤差で傾けてヘッドシリンダ１に止着す
ることにより、前側角部Ｐａがヘッドシリンダ１の外周面側に例えば５μｍ程度移動され
ても、該前側角部Ｐａがヘッドシリンダ１の外周面から没入幅ｓ分だけまだ没入されてい
るので、その前側角部Ｐａにより磁気テープ３を削るおそれはない。しかし、傾斜面Ｐを
形成するために工程数が増加して製作費が高くつくと共に、該傾斜面Ｐによって、磁気テ
ープ摺動面Ｃのテープ接触幅αが大幅に狭められるため、再生時のすきま損失が大きくな
って、モニターに鮮明な再生画面を映し出すことが困難になる。
【０００８】
本考案は、上記従来の欠点に鑑み、安価で再生時のすきま損失を小さくした磁気ヘッド
を提供することを目的としている。
【課題を解決するための手段】
【０００９】
上記目的を達成するため、請求項１に記載の考案は、磁性体からなる一対のコア半体ど
うしを磁気ギャップを挟んで非磁性接合材で接合することにより横幅が２．０ｍｍの２ヘ
ッドタイプの記録再生用磁気ヘッドのヘッドコアが形成され、該ヘッドコアをヘッドシリ
ンダに止着したときに磁気ギャップがヘッドシリンダの外周面から３０〜５０μｍの突出
幅だけ突出され、そのヘッドコアの磁気テープ摺動面の前後両角部がヘッドシリンダの外
周面と一致またはわずかに没入するようにその磁気テープ摺動面が所定の半径で円弧状に
形成され、前記磁気テープ摺動面の前側角部を斜めに切断して傾斜面が形成されており、
ヘッドシリンダの外周面からヘッドコアの傾斜面及び磁気テープ摺動面に沿って磁気テー
プを走行させることにより、その磁気テープに情報を記録したり再生するようにした磁気
ヘッドにおいて、前記傾斜面を形成する工程を省略し、前記磁気テープ摺動面の半径を上
記の所定の半径よりも小さく設定することにより、前記磁気ギャップの突出幅を変更せず
に磁気テープ摺動面の前後両角部をヘッドシリンダの外周面から１０〜５０（好ましくは
２５〜３５）μｍの没入幅だけ没入させるようにしたことを特徴としている。
【００１０】
請求項２に記載の考案は、磁性体からなる一対のコア半体どうしを磁気ギャップを挟ん
で非磁性接合材で接合することによりヘッドコアが形成され、該ヘッドコアをヘッドシリ
ンダに止着したときに磁気ギャップがヘッドシリンダの外周面から所定の突出幅だけ突出
されるようにそのヘッドコアの磁気テープ摺動面が所定の半径で円弧状に形成されており
、ヘッドシリンダの外周面からヘッドコアの磁気テープ摺動面に沿って磁気テープを走行
させることにより、その磁気テープに情報を記録したり再生するようにした磁気ヘッドに
おいて、前記磁気テープ摺動面の半径を小さく設定することにより、前記磁気ギャップの
突出幅を変更せずに磁気テープ摺動面の前後両角部をヘッドシリンダの外周面から所定の
没入幅だけ没入させるようにしたことを特徴としている。
【００１１】
請求項３に記載の考案は、請求項２に記載の考案において、前記没入幅が、１０〜５０
（好ましくは２５〜３５）μｍであることを特徴としている。
【考案の効果】
【００１２】
請求項１に記載の考案は実施の一形態（図１及び図２参照）に相当するものであって、
これによれば、磁気ギャップの突出幅を変更せずに磁気テープ摺動面の前後両角部をヘッ
ドシリンダの外周面から所定の没入幅だけ没入させており、その没入幅が１０μｍ未満で
あれば、ヘッドコアの止着誤差が比較的大きいときに磁気テープ摺動面の前側角部がヘッ
ドシリンダの外周面よりも外部に突出するおそれがあり、没入幅が５０μｍを超えれば、
磁気テープ摺動面のテープ接触幅が大幅に狭められる。これに対して、没入幅が１０〜５
０（好ましくは２５〜３５）μｍであれば、ヘッドコアの止着誤差が比較的大きいときで
も磁気テープ摺動面の前側角部がヘッドシリンダの外周面よりも外部に突出するおそれが
なく、その磁気テープ摺動面に沿って磁気テープを円滑に走行させることができると共に
、磁気テープ摺動面のテープ接触幅を大きく確保し、再生時のすきま損失を小さくして、
モニターに鮮明な再生画面を映し出すことができる。
【００１３】
しかも、上記効果を得るために磁気テープ摺動面の半径を小さく設定しているだけであ
るから、従来の磁気テープ摺動面の前側角部を斜めに切断して傾斜面を形成する工程を省
略して、製作費を安くすることができる。
【００１４】
以上要するに、安価で再生時のすきま損失を小さくした２ヘッドタイプの記録再生用磁
気ヘッドを提供するものである。
【００１５】
請求項２に記載の考案によれば、磁気ギャップの突出幅を変更せずに磁気テープ摺動面
の前後両角部をヘッドシリンダの外周面から所定の没入幅だけ没入させているので、ヘッ
ドコアを比較的大きな止着誤差で傾けてヘッドシリンダに止着しても、磁気テープ摺動面
の前側角部がヘッドシリンダの外周面から外部に突出して磁気テープを削るおそれはなく
、その磁気テープ摺動面に沿って磁気テープを円滑に走行させることができる。
【００１６】
また、磁気テープ摺動面の前後両端部を除く大部分をヘッドシリンダの外周面から外部
に露出させて、該磁気テープ摺動面のテープ接触幅が大きくなるように設定しているので
、再生時のすきま損失を極力小さくして、モニターに鮮明な再生画面を映し出すことがで
きる。
【００１７】
しかも、上記効果を得るために磁気テープ摺動面の半径を小さく設定しているだけであ
るから、従来の磁気テープ摺動面の前側角部を斜めに切断して傾斜面を形成する工程を省
略して、製作費を安くすることができる。
【００１８】
請求項３に記載の考案によれば、没入幅が１０μｍ未満であれば、ヘッドコアの止着誤
差が大きいときに磁気テープ摺動面の前側角部がヘッドシリンダの外周面よりも外部に突
出するおそれがあり、没入幅が５０μｍを超えれば、磁気テープ摺動面のテープ接触幅が
大幅に狭められる。これに対して、没入幅が１０〜５０（好ましくは２５〜３５）μｍで
あれば、ヘッドコアの止着誤差が比較的大きいときでも磁気テープ摺動面の前側角部がヘ
ッドシリンダの外周面よりも外部に突出するおそれがなく、その磁気テープ摺動面に沿っ
て磁気テープを円滑に走行させることができると共に、磁気テープ摺動面のテープ接触幅
を大きく確保し、再生時のすきま損失を小さくして、モニターに鮮明な再生画面を映し出
すことができる。
【考案を実施するための最良の形態】
【００１９】
図１及び図２は本考案の実施の一形態である２ヘッドタイプの記録再生用磁気ヘッドの
ヘッドコア２を示すものであって、磁気テープ摺動面Ｃの半径ｒ２を図４に示す従来の半
径ｒ１よりも小さく設定することにより、磁気ギャップＧの突出幅ｋを変更せずに磁気テ
ープ摺動面Ｃの前後両角部Ｃａ，Ｃｂをヘッドシリンダ１の外周面から所定の没入幅βだ
け没入させている。上記以外の構成は図４及び図５に示す構成とほぼ同一であるから、同
一部分に同一符号を付してその説明を省略する。
【００２０】
具体的寸法の一例を説明すると、ヘッドシリンダ１の半径Ｒが３１ｍｍ、磁気ギャップ
Ｇの突出幅ｋが３０〜５０μｍ、ヘッドコア２の厚さＤが０．１〜０．１３５ｍｍ、その
横幅Ｅが２．０ｍｍ、その高さＨが１．６〜１．９ｍｍであって、図４及び図５に示す従
来例とほぼ同じである。また、本願考案の磁気テープ摺動面Ｃの半径ｒ２が６ｍｍであっ
て、図４及び図５に示す従来例の半径ｒ１（８ｍｍ）よりも小さく設定されている。
【００２１】
上記構成によれば、磁気ギャップＧの突出幅ｋを変更せずに磁気テープ摺動面Ｃの前後
両角部Ｃａ，Ｃｂをヘッドシリンダ１の外周面から所定の没入幅βだけ没入させているの
で、例えばその没入幅βを１０μｍとした場合、ヘッドコア２を比較的大きな止着誤差で
傾けてヘッドシリンダ１に止着することにより、前側角部Ｐａがヘッドシリンダ１の外周
面側に例えば５μｍ移動したとしても、その前側角部Ｐａとヘッドシリンダ１の外周面と
の間に５μｍの没入幅γが確保されているので、磁気テープ摺動面Ｃの前側角部Ｐａがヘ
ッドシリンダ１の外周面から外部に突出して磁気テープ３を削るおそれはなく、その磁気
テープ摺動面Ｃに沿って磁気テープ３を円滑に走行させることができる。
【００２２】
また、磁気テープ摺動面Ｃの前後両端部を除く大部分をヘッドシリンダ１の外周面から
外部に露出させて、該磁気テープ摺動面Ｃのテープ接触幅αが大きくなるように設定して
いるので、再生時のすきま損失を極力小さくして、モニターに鮮明な再生画面を映し出す
ことができる。
【００２３】
しかも、上記効果を得るために磁気テープ摺動面Ｃの半径ｒ２を小さく設定しているだ
けであるから（ｒ２＜ｒ１）、従来の磁気テープ摺動面Ｃの前側角部Ｐａを斜めに切断し
て傾斜面Ｐを形成する工程（図６参照）を省略して、製作費を安くすることができる。
【００２４】
前記没入幅βが１０μｍ未満であれば、ヘッドコア２の止着誤差が大きいときに磁気テ
ープ摺動面Ｃの前側角部Ｐａがヘッドシリンダ１の外周面よりも外部に突出するおそれが
あり、没入幅が５０μｍを超えれば、磁気テープ摺動面Ｃのテープ接触幅αが大幅に狭め
られる。これに対して、没入幅βが１０〜５０（好ましくは２５〜３５）μｍであれば、
ヘッドコア２の止着誤差が比較的大きいときでも磁気テープ摺動面Ｃの前側角部Ｐａがヘ
ッドシリンダ１の外周よりも外部に突出するおそれがなく、磁気テープ摺動面Ｃのテープ
接触幅αを大きく確保し、再生時のすきま損失を小さくして、モニターに鮮明な再生画面
を映し出すことができる。
【産業上の利用可能性】
【００２５】
上記の実施の形態では、２ヘッドタイプの記録再生用磁気ヘッドを例にあげて説明した
が、これに限定されるわけではなく、４ヘッドＨｉ−Ｆｉタイプ（４ＨＤ）の記録再生用
磁気ヘッド及びＨｉ−Ｆｉ用磁気ヘッドにも適用することができる。
【図面の簡単な説明】
【００２６】
【図１】（ａ）は本考案の実施の一形態である２ヘッドタイプの記録再生用磁気ヘッドのヘッドコアを示す斜視図、（ｂ）は同正面図、（ｃ）は同側面図である。
【図２】（ａ）は同ヘッドコアをヘッドシリンダに適正に止着した状態の概略図、（ｂ）は同傾けて止着した状態の概略図である。
【図３】ヘッドコアをヘッドシリンダに止着した状態を示す概略平面図である。
【図４】（ａ）は従来の一例を示す斜視図、（ｂ）は同正面図、（ｃ）は同側面図である。
【図５】（ａ）は同従来の一例のヘッドコアをヘッドシリンダに適正に止着した状態の概略図、（ｂ）は同傾けて止着した状態の概略図である。
【図６】（ａ）は同従来の他の例のヘッドコアをヘッドシリンダに適正に止着した状態の概略図、（ｂ）は同傾けて止着した状態の概略図である。
【符号の説明】
【００２７】
１          ヘッドシリンダ
２          ヘッドコア
２Ａ，２Ｂ  コア半体
３          磁気テープ
Ｇ          磁気ギャップ
ｋ          磁気ギャップの突出幅
Ｃ          磁気テープ摺動面
Ｃａ，Ｃｂ  磁気テープ摺動面の前後両角部
ｒ１        従来の磁気テープ摺動面の半径
ｒ２        本願考案の磁気テープ摺動面の半径
Ｅ          ヘッドコアの横幅
Ｐ          傾斜面
【図１】
0003103098.tif 000003
【図２】
0003103098.tif 000004
【図３】
0003103098.tif 000005
【図４】
0003103098.tif 000006
【図５】
0003103098.tif 000007
【図６】
0003103098.tif 000008